(57)【特許請求の範囲】
【請求項１】
貨幣の識別・返却・受取を行う貨幣受取手段と、この貨幣受取手段を介して受け入れた貨幣を貯めておくための金庫と、遊技台で使用する遊技媒体の払い出しを行う遊技媒体払出機と、貨幣受取手段、遊技媒体払出機などを制御するための制御手段とを備え、貨幣を受け取ると遊技媒体の貸し出しを行う遊技媒体の貸出装置において、
前記貨幣受取手段、前記金庫および前記制御手段が内部に収納されている上部室と、
前記遊技媒体払出機が内部に収納されており、前記上部室とは隔壁によって仕切られている下部室と、
前記上部室の前面を開閉する施錠可能な上部前面扉と、
前記下部室の前面を開閉する施錠可能な下部前面扉と、
前記上部前面扉に形成された赤外線透過穴と、
前記上部前面扉の施錠時に当該上部前面扉によって覆われ、施錠時の前記上部前面扉の前記赤外線透過穴に対峙する前記制御手段の前面部分に設けられた赤外線受光手段と、
前記赤外線透過穴を介して前記赤外線受光手段に所定の赤外線信号を出力する携帯用赤外線発光手段と、
前記下部室内において、前記下部前面扉を開けると操作可能な位置に配置されているリセットスイッチとを備えており、
前記制御手段は、前記リセットスイッチが操作された場合、あるいは、前記携帯用赤外線発光手段からの所定の赤外線信号が前記赤外線受光手段で受光された場合に、払出不能状態の前記遊技媒体払出機を払出可能状態に復帰させることを特徴とする遊技媒体の貸出装置。
【請求項２】
貨幣の識別・返却・受取を行う貨幣受取手段と、この貨幣受取手段を介して受け入れた貨幣を貯めておくための金庫と、遊技台で使用する遊技媒体の払い出しを行う遊技媒体払出機と、貨幣受取手段、遊技媒体払出機などを制御するための制御手段とを備え、貨幣を受け取ると遊技媒体の貸し出しを行う遊技媒体の貸出装置において、
前記貨幣受取手段、前記金庫および前記制御手段が内部に収納されている上部室と、
前記遊技媒体払出機が内部に収納されており、前記上部室とは隔壁によって仕切られている下部室と、
前記上部室の前面を開閉する施錠可能な上部前面扉と、
前記下部室の前面を開閉する施錠可能な下部前面扉と、
前記上部前面扉に形成された連結手段と、
前記連結手段に連結して前記制御手段に制御信号を出力する携帯用信号発信機と、
前記下部室内において、前記下部前面扉を開けると操作可能な位置に配置されているリセットスイッチとを備えており、
前記制御手段は、前記リセットスイッチが操作された場合、あるいは、前記携帯用信号発信機から前記連結手段を介して所定の制御信号を受信した場合に、払出不能状態の前記遊技媒体払出機を払出可能状態に復帰させることを特徴とする遊技媒体の貸出装置。
【請求項３】
貨幣の識別・返却・受取を行う貨幣受取手段と、この貨幣受取手段を介して受け入れた貨幣を貯めておくための金庫と、遊技台で使用する遊技媒体の払い出しを行う遊技媒体払出機と、貨幣受取手段、遊技媒体払出機などを制御するための制御手段とを備え、貨幣を受け取ると遊技媒体の貸し出しを行う遊技媒体の貸出装置において、
前記貨幣受取手段、前記金庫および前記制御手段が内部に収納されている上部室と、
前記遊技媒体払出機が内部に収納されており、前記上部室とは隔壁によって仕切られている下部室と、
前記上部室の前面を開閉する施錠可能な上部前面扉と、
前記下部室の前面を開閉する施錠可能な下部前面扉と、
前記上部前面扉に設けられた受信手段と、
前記受信手段を介して前記制御手段に制御信号を出力する携帯用信号発信機と、
前記下部室内において、前記下部前面扉を開けると操作可能な位置に配置されているリセットスイッチとを備えており、
前記制御手段は、前記リセットスイッチが操作された場合、あるいは、前記携帯用信号発信機から前記受信手段を介して所定の制御信号を受信した場合に、払出不能状態の前記遊技媒体払出機を払出可能状態に復帰させることを特徴とする遊技媒体の貸出装置。
【請求項４】
前記受信手段は赤外線受光手段であり、
携帯用信号発信機は赤外線発光手段であることを特徴とする請求項３に記載の遊技媒体の貸出装置。
【発明の詳細な説明】
【０００１】
【発明の属する技術分野】
本発明は、パチスロ遊技機やパチンコ遊技機などの遊技機の間に設置されて、メタルやパチンコ玉などの遊戯媒体を貸し出す装置に関する。
【０００２】
【従来の技術】
パチスロ遊技機の間に設置してパチスロ遊技機で使用するメタルを貸し出す装置１０としては、例えば図４に示した構成のものが知られている。すなわち、前面部に紙幣受取口１１と払出指示スイッチ１２とメタル貸出口１３とを有し、その内部には紙幣受取口１１から受け入れた紙幣を識別して正常な紙幣のみを受け取り、偽札を返却する紙幣受取手段１４と、この紙幣受取手段１４を介して受け入れた紙幣を貯めておくための金庫１５と、メタル貸出口１３からメタルを計数して払い出すためのメタル払出機１６と、紙幣受取手段１４、メタル払出機１６などを制御するための制御手段１７を備えている。
【０００３】
そして、金庫１５を収納してある場所と、メタル払出機１６を収納してある場所とは取扱者を異にすることが多いため（前者は上級管理者、後者は一般従業員）、それぞれを異なる扉１８、１９で開閉し、異なる鍵で開閉する錠２０、２１を取り付けるようにしてある。なお、２２は、内部を金庫１５、制御手段１７などを収納する上部と、メタル払出機１６などを収納する下部とに分割している隔壁である。
【０００４】
また、貸出し時にメタルが詰まって異常停止し、制御手段１７によって電気的に動作不能状態にされたメタル払出機１６を動作可能な状態に復帰させるためのリセットスイッチ２３、売り上げ金額などを表示する表示器２４、この表示器２４に売上金額などを適宜表示させるための操作スイッチ２５なども、図示したように扉１８、１９によって覆われるように内部に設置されている。なお、扉１８の表示器２４前方部分は、表示内容が視認可能に樹脂製などとなっている。
【０００５】
そして、貸出し時にメタルが詰まってメタル払出機１６が異常停止したときには、扉１９を開けてホッパー２６内のメタルを全て取り出し、メタル詰まりを解消し、ホッパー２６に再びメタルを詰めてからリセットスイッチ２３を操作して動作可能な状態に復帰させている。一方、売上げなどを調べるためには、扉１８開けて適宜の操作スイッチ２５を操作して表示器２４に表示させている。
【０００６】
また、メタル払出機１６の払出し動作が停止して表示器２４などにメタル切れが表示されたときには、実際にはさらに２、３回程度の払出しに対応できるメタルがホッパー２６内に残っているので、作業員は扉１９を開けてリセットスイッチ２３を操作し、メタル払出機１６を動作可能な状態に復帰させてその場を凌ぎ、急いでホッパー２６にメタルを入れる作業を行うようにしている。
【０００７】
【発明が解決しようとする課題】
メタル詰まりが発生したメタル払出機は、実際に詰まったメタル取り除かなくても単にリセットスイッチを操作するだけで回復することがあることが経験的に分っているので、係員は先ずリセットスイッチを２、３度を操作してみて、メタル払出機が払出し可能な状態に復帰しないときだけ施錠されている扉を開け、ホッパー内のメタルを全て取り出してメタル詰まりを解消し、メタルをホッパーに戻し、その後リセットスイッチを操作して使用可能な状態に復帰させている。
【０００８】
したがって、メタル詰まりやメタル切れでメタルの払出動作の機能が停止されたメタル払出機を払出可能な状態に復帰させる操作を行うときや、売上げを計上するときなどに、施錠している扉を一々開ける必要がないようにする必要があり、これが解決すべき従来技術の課題であった。
【０００９】
【課題を解決するための手段】
上記従来技術の課題を解決するために、本発明は、貨幣の識別・返却・受取を行う貨幣受取手段と、この貨幣受取手段を介して受け入れた貨幣を貯めておくための金庫と、遊技台で使用する遊技媒体の払い出しを行う遊技媒体払出機と、貨幣受取手段、遊技媒体払出機などを制御するための制御手段とを備え、貨幣を受け取ると遊技媒体の貸し出しを行う遊技媒体の貸出装置において、
前記貨幣受取手段、前記金庫および前記制御手段が内部に収納されている上部室と、
前記遊技媒体払出機が内部に収納されており、前記上部室とは隔壁によって仕切られている下部室と、
前記上部室の前面を開閉する施錠可能な上部前面扉と、
前記下部室の前面を開閉する施錠可能な下部前面扉と、
前記上部前面扉に形成された赤外線透過穴と、
前記上部前面扉の施錠時に当該上部前面扉によって覆われ、施錠時の前記上部前面扉の前記赤外線透過穴に対峙する前記制御手段の前面部分に設けられた赤外線受光手段と、
前記赤外線透過穴を介して前記赤外線受光手段に所定の赤外線信号を出力する携帯用赤外線発光手段と、
前記下部室内において、前記下部前面扉を開けると操作可能な位置に配置されているリセットスイッチとを備えており、
前記制御手段は、前記リセットスイッチが操作された場合、あるいは、前記携帯用赤外線発光手段からの所定の赤外線信号が前記赤外線受光手段で受光された場合に、払出不能状態の前記遊技媒体払出機を払出可能状態に復帰させることを特徴としている。
【００１０】
また、本発明は、貨幣の識別・返却・受取を行う貨幣受取手段と、この貨幣受取手段を介して受け入れた貨幣を貯めておくための金庫と、遊技台で使用する遊技媒体の払い出しを行う遊技媒体払出機と、貨幣受取手段、遊技媒体払出機などを制御するための制御手段とを備え、貨幣を受け取ると遊技媒体の貸し出しを行う遊技媒体の貸出装置において、
前記貨幣受取手段、前記金庫および前記制御手段が内部に収納されている上部室と、
前記遊技媒体払出機が内部に収納されており、前記上部室とは隔壁によって仕切られている下部室と、
前記上部室の前面を開閉する施錠可能な上部前面扉と、
前記下部室の前面を開閉する施錠可能な下部前面扉と、
前記上部前面扉に形成された連結手段と、
前記連結手段に連結して前記制御手段に制御信号を出力する携帯用信号発信機と、
前記下部室内において、前記下部前面扉を開けると操作可能な位置に配置されているリセットスイッチとを備えており、
前記制御手段は、前記リセットスイッチが操作された場合、あるいは、前記携帯用信号発信機から前記連結手段を介して所定の制御信号を受信した場合に、払出不能状態の前記遊技媒体払出機を払出可能状態に復帰させることを特徴としている。
【００１１】
さらに、本発明は、貨幣の識別・返却・受取を行う貨幣受取手段と、この貨幣受取手段を介して受け入れた貨幣を貯めておくための金庫と、遊技台で使用する遊技媒体の払い出しを行う遊技媒体払出機と、貨幣受取手段、遊技媒体払出機などを制御するための制御手段とを備え、貨幣を受け取ると遊技媒体の貸し出しを行う遊技媒体の貸出装置において、
前記貨幣受取手段、前記金庫および前記制御手段が内部に収納されている上部室と、
前記遊技媒体払出機が内部に収納されており、前記上部室とは隔壁によって仕切られている下部室と、
前記上部室の前面を開閉する施錠可能な上部前面扉と、
前記下部室の前面を開閉する施錠可能な下部前面扉と、
前記上部前面扉に設けられた受信手段と、
前記受信手段を介して前記制御手段に制御信号を出力する携帯用信号発信機と、
前記下部室内において、前記下部前面扉を開けると操作可能な位置に配置されているリセットスイッチとを備えており、
前記制御手段は、前記リセットスイッチが操作された場合、あるいは、前記携帯用信号発信機から前記受信手段を介して所定の制御信号を受信した場合に、払出不能状態の前記遊技媒体払出機を払出可能状態に復帰させることを特徴としている。
【００１２】
この場合、前記受信手段として赤外線受光手段を用い、携帯用信号発信機として赤外線発光手段を用いることができる。
【００１４】
【発明の実施の形態】
以下、本発明の一実施形態を、図１と図２に基づいて説明する。なお、理解を容易にするため、これらの図面においても前記図４で示した部分と同一の部分には同じ符号を付した。
【００１５】
図１に示したメタル貸出装置１０は、紙幣受取口１１を備えた扉１８に、赤外線透過穴２７を備えている。また、制御手段１７の前面部に赤外線受光素子２８を備えている。この赤外線受光素子２８は、扉１８を閉めたときに赤外線透過穴２７の真後ろに位置するように設置されている。そして、２９は、所用の赤外線制御信号を出力することができる携帯用の信号発信機である。
【００１６】
制御手段１７は、紙幣受取口１１から差し込まれた紙幣が紙幣受取手段１４によって所定の額面の正常な紙幣であると識別され、払出指示スイッチ１２が操作されたときにはメタル払出機１６を起動させて所定の枚数のメタルをメタル貸出口１３に払い出すと共に、紙幣受取口１１から差し込まれた紙幣を金庫１５に取り込み、さらにメタル払出機１６がメタル詰まりを起こしたときにはメタル払出機１６への電力供給を断って運転不能状態にし、リセットスイッチ２３が操作されたときにはメタル払出機１６への電力供給が行えるようにして払出動作可能な状態に復帰させる従来周知の制御と、赤外線受光素子２８が所定の制御信号を信号発信機２９から受け取ったときもリセットスイッチ２３が操作されたときと同様にメタル払出機１６を払出動作可能な状態に復帰させることができる制御が行われるように構成されている。
【００１７】
また、制御手段１７は、赤外線受光素子２８が他の所定の制御信号を信号発信機２９から受け取ったときに、売上げ金額を７セグメントなどからなる表示器２４に表示すると共に、図示しないホールコンピュータなどにその金額を出力するようにも構成されている。
【００１８】
また、制御手段１７は、赤外線受光素子２８がさらに他の所定の制御信号を信号発信機２９から受け取ったときには、メタル切れを表示して動作不能な状態になっていたメタル払出機１６を動作可能に復帰させるようにも構成されている。
【００１９】
上記構成の本発明のメタル貸出装置１０においては、メタル払出機１６でメタル詰まりを起こしてメタルの供給ができなくなっても、施錠されている扉１９を開けてリセットスイッチ２３を操作する必要はなく、従業員は信号発信機２９から所定の制御信号を赤外線受光素子２８に向けて発信し、メタル払出機１６が払出動作可能な状態に復帰するように制御手段１７に指示することができるので、単に復帰動作を２、３度指示するだけでメタル払出機１６が払出動作可能な状態に復帰するときには極めて簡単に復帰させることができる。
【００２０】
そして、信号発信機２９による操作だけではメタル払出機１６の動作可能状態への復帰が図れないときには、扉１９を開けてホッパー２６からメタルを取り出し、メタル詰まりを直し、メタルを再びホッパー２６に入れ、リセットスイッチ２３または信号発信機２９を操作してメタル払出機１６を動作可能な状態に復帰させる。
【００２１】
なお、メタル詰まりやメタル切れでメタルの払出動作の機能が停止されたメタル貸出装置１６を払出可能な状態に復帰させる操作は、信号発信機２９によって行えるので、リセットスイッチ２３は必ずしも設ける必要はない。
【００２２】
また、紙幣受取手段１４が正常な所定の額面の紙幣を識別すると制御手段１７がすぐにメタル払出機１６を起動するように構成して、払出指示スイッチ１２の設置を省略するようにしても良い。
【００２３】
また、赤外線透過穴２７は、赤外線が透過可能なガラスなどで封止するようにしても良い。なお、赤外線透過穴２７の両側に位置する扉１８の部分に設けられた穴は、メタルの貸出中、メタルの貸出停止中を表示するために開設された穴であり、それぞれの穴の奥には制御手段１７によって点灯／消灯が制御される図示しないＬＥＤが設置されている。
【００２４】
また、赤外線受光素子２８を扉１８などの適宜の前面部に設置し、赤外線透過穴２７を廃止するように構成することもできる。
【００２５】
さらに、図３に示したように、制御手段１７と信号線３０で連結された差込穴からなる連結手段３１を扉１８などの前面部に設け、この連結手段３１に信号発信機２９の連結端子３２を差し込んで信号発信機２９を制御手段１７に連結し、信号発信機２９から出力する電気信号に基づいて制御手段１７が前記のように動作するように構成したり、売上金を信号発信機２９に送信させるように構成することなども可能である。
【００２６】
なお、本発明の遊技媒体貸出装置はスロットマシン用のメタル以外の遊技媒体、例えばパチンコ玉などを貸し出す装置としても有効である。
【００２７】
【発明の効果】
以上説明したように本発明の装置によれば、遊技媒体の詰まりや数量不足で払出動作の機能が停止された払出機を、施錠している扉を一々開けなくても払出可能な状態に復帰させることができるので、管理作業の簡素化が図れる。
【００２８】
また、金庫などを覆っている扉を開けないで売上げ金の計上作業が行えるので、一般の従業員に売上金の計上作業を任せることが可能になり、管理者は管理者本来の仕事に専念できるようになる。
【図面の簡単な説明】
【図１】一実施形態を示す説明図であり、（Ａ）は正面から見た図を示し、（Ｂ）は側面から内部を見た図を示している。
【図２】一実施形態の電気的構成を示す説明図である。
【図３】変形実施形態を示す説明図であり、（Ａ）は正面から見た図を示し、（Ｂ）は側面から内部を見た図を示している。
【図４】従来技術を示す説明図であり、（Ａ）は正面から見た説明図を示し、（Ｂ）は側面から内部を見た説明図を示している。
【符号の説明】
１０  メタル貸出装置
１１  紙幣受取口
１２  払出指示スイッチ
１３  メタル貸出口
１４  紙幣受取手段
１５  金庫
１６  メタル払出機
１７  制御手段
１８・１９  扉
２０・２１  錠
２２  隔壁
２３  リセットスイッチ
２４  表示器
２５  操作スイッチ
２６  ホッパー
２７  赤外線透過穴
２８  赤外線受光素子
２９  信号発信機
３０  信号線
３１  連結手段
３２  連結端子
【図１】
0004363538.tif 000002
【図２】
0004363538.tif 000003
【図３】
0004363538.tif 000004
【図４】
0004363538.tif 000005